【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
下記の成分：
（ａ）少なくとも１種の粒状有機ホスファイト、有機ホスホナイトおよび／または有機ホスホネート、および
（ｂ）有機ホスファイトでも有機ホスホナイトでも有機ホスホネートでもない１種以上の粒状重合体添加剤、
から作られた乾燥顆粒形態の圧縮固化粒状重合体添加剤組成物であって、前記顆粒の中の粒子が、排他的もしくは実質的に排他的に、（ａ）の１種以上の成分の粒子のインサイチュー脱溶媒表面が一緒に相互結合し、かつ場合により（ｂ）の１種以上の成分の粒子のインサイチュー脱溶媒表面が一緒に相互結合することで圧縮固化乾燥顆粒形態に互いに相互結合した状態で、保持されている組成物。
【請求項２】
１）（ａ）少なくとも１種の粒状有機ホスファイト、有機ホスホナイトまたは有機ホスホネート、（ｂ）有機ホスファイトでも有機ホスホナイトでも有機ホスホネートでもない１種以上の粒状重合体添加剤および（ｃ）（ａ）および（ｂ）の中の最も低い融点もしくは初期溶融温度より低い温度で蒸発し得る不活性な有機処理溶媒からペーストを生じさせ、
２）前記ペーストを生じさせる時に用いた固体が溶融しないようにか或は実質的に溶融しないようにしながら前記ペーストを圧縮かつ成形することで顆粒形態の湿った圧縮固化組成物を生じさせ、そして
３）前記顆粒形態の湿った圧縮固化組成物から前記処理溶媒を蒸発させてそれを乾燥させることで前記添加剤組成物を乾燥顆粒形態で生じさせる、
ことを含んで成る方法で作られた乾燥顆粒形態の圧縮固化粒状重合体添加剤組成物であって、（ａ）の少なくともある程度溶媒和していた粒子が乾燥と脱溶媒を受け、そして場合により（ｂ）の少なくともある程度溶媒和していた粒子が乾燥を受けたことで、排他的もしくは実質的に排他的にもたらされた圧縮硬度と物理的一体性を有する乾燥顆粒形態の添加剤組成物。
【請求項３】
成分（ａ）および（ｂ）が少なくとも約１００℃の融点もしくは初期溶融温度を示す、先行する請求項のいずれかに記載の組成物。
【請求項４】
用いられた成分（ａ）が少なくとも１種の有機ホスファイトである、先行する請求項のいずれかに記載の組成物。
【請求項５】
前記有機ホスファイトがトリス（２，４−ジ−ｔ−ブチルフェニル）ホスファイトである、先行する請求項のいずれかに記載の組成物。
【請求項６】
用いられた（ｂ）の重合体添加剤の各々が、少なくとも約５０℃の融点もしくは初期溶融温度を示し、そして前記（ｂ）の重合体添加剤の少なくとも一種が、ヒンダードフェノール系抗酸化剤、核形成剤、重合体透明化剤、酸中和剤、または紫外線もしくは光安定剤、から成る群から選択される、先行する請求項のいずれかに記載の組成物。
【請求項７】
用いられた成分（ａ）が少なくとも１種の有機ホスファイトである、先行する請求項のいずれかに記載の組成物。
【請求項８】
用いられた成分（ｂ）が、（ｉ）１種以上の核形成剤、（ｉｉ）１種以上の重合体透明化剤、（ｉｉｉ）１種以上の酸中和剤、および（ｉｖ）（ｉ）、（ｉｉ）および（ｉｉｉ）の中のいずれか２種もしくは３種全部の混合物から成る群から選択され、ここで用いられた前記成分（ｂ）の各々が少なくとも約２００℃の融点もしくは初期溶融温度を示す、先行する請求項のいずれかに記載の組成物。
【請求項９】
用いられた成分（ａ）が少なくとも１種の有機ホスファイトである、先行する請求項のいずれかに記載の組成物。
【請求項１０】
用いられた成分（ｂ）が（ｉ）安息香酸ナトリウム、（ｉｉ）１，３：２，４−ビス（３，４−ジメチルベンジリデン）ソルビトール、（ｉｉｉ）１，３：２，４−ビス（ｐ−メチルベンジリデン）ソルビトール、（ｉｖ）１，３：２，４−ジ−Ｏ−ベンジリデンソルビトール、（ｖ）少なくとも１種の金属酸化物である酸中和剤、（ｖｉ）少なくとも１種の金属炭酸塩である酸中和剤、（ｖｉｉ）少なくとも１種の天然もしくは合成ヒドロタルサイトおよび（ｖｉｉｉ）（ｉ）から（ｖｉｉ）の全部の中のいずれか２種以上の混合物から成る群から選択される、先行する請求項のいずれかに記載の組成物。
【請求項１１】
用いられた成分（ａ）が少なくとも１種の有機ホスファイトまたは少なくとも１種の有機ホスホナイトまたはこれらの両方である、先行する請求項のいずれかに記載の組成物。
【請求項１２】
用いられた成分（ａ）がトリ（２，４−ジ−ｔ−ブチルフェニル）ホスファイトである、先行する請求項のいずれかに記載の組成物。
【請求項１３】
用いる（ｂ）を（ｉ）少なくとも１種のヒンダードフェノール系抗酸化剤、（ｉｉ）少なくとも１種の核形成剤、（ｉｉｉ）少なくとも１種の重合体透明化剤、（ｉｖ）少なくとも１種の酸中和剤、（ｖ）少なくとも１種の紫外線もしくは光安定剤、および（ｖｉ）（ｉ）から（ｖ）の全部の中のいずれか２種以上の混合物から成る群から選択する、先行する請求項のいずれかに記載の組成物。
【請求項１４】
少なくとも１インチ当たり約１０ポンドの圧縮硬度を有する、先行する請求項のいずれかに記載の組成物。
【請求項１５】
請求項１７−２６のいずれかに記載の方法で作られた乾燥顆粒形態の組成物であって、（Ａ）の少なくともある程度溶媒和していた粒子が乾燥と脱溶媒を受けることで排他的もしくは実質的に排他的にもたらされた圧縮硬度と物理的一体性を有する組成物。
【請求項１６】
請求項１７−２６のいずれかに記載の方法で作られた乾燥顆粒形態の組成物であって、（Ａ）の少なくともある程度溶媒和していた粒子が乾燥と脱溶媒を受けることで排他的もしくは実質的に排他的にもたらされた圧縮硬度と物理的一体性を有する組成物。
【請求項１７】
乾燥顆粒形態の圧縮固化粒状重合体添加剤組成物を製造する方法であって、
１）（ａ）少なくとも１種の粒状有機ホスファイト、有機ホスホナイトまたは有機ホスホネート、（ｂ）有機ホスファイトでも有機ホスホナイトでも有機ホスホネートでもない１種以上の粒状重合体添加剤および（ｃ）（ａ）および（ｂ）の中の最も低い融点もしくは初期溶融温度より低い温度で蒸発し得る不活性な有機処理溶媒からペーストを生じさせ、
２）前記ペーストを生じさせる時に用いた固体が溶融しないようにか或は実質的に溶融しないようにしながら前記ペーストを圧縮かつ成形することで顆粒形態の湿った圧縮固化組成物を生じさせ、そして
３）前記顆粒形態の湿った圧縮固化組成物から前記処理溶媒を蒸発させてそれを乾燥させることで顆粒形態の乾燥した圧縮固化粒状重合体添加剤組成物を生じさせる、
ことを含んで成る方法。
【請求項１８】
（ａ）および（ｂ）が少なくとも約１００℃の融点もしくは初期溶融温度を示す請求項１７記載の方法。
【請求項１９】
用いる（ａ）が１種以上の有機ホスファイトである、請求項１７から１８のいずれかに記載の方法。
【請求項２０】
前記１種以上の有機ホスファイトがトリス（２，４−ジ−ｔ−ブチルフェニル）ホスファイトである、請求項１７から１９のいずれかに記載の方法。
【請求項２１】
用いる（ｂ）を（ｉ）少なくとも１種のヒンダードフェノール系抗酸化剤、（ｉｉ）少なくとも１種の核形成剤、（ｉｉｉ）少なくとも１種の重合体透明化剤、（ｉｖ）少なくとも１種の酸中和剤、（ｖ）少なくとも１種の紫外線もしくは光安定剤、および（ｖｉ）（ｉ）から（ｖ）の全部の中のいずれか２種以上の混合物から成る群から選択する、請求項１７−２０のいずれかに記載の方法。
【請求項２２】
用いる（ａ）が１種以上の有機ホスファイトである、請求項１７から２１のいずれかに記載の方法。
【請求項２３】
用いる（ｂ）の各々が少なくとも約１００℃の融点もしくは初期溶融温度を示しそして（ｂ）を（ｉ）少なくとも１種の核形成剤、（ｉｉ）少なくとも１種の重合体透明化剤、（ｉｉｉ）少なくとも１種の酸中和剤、および（ｉ）、（ｉｉ）および（ｉｉｉ）の中のいずれか２種もしくは３種全部の混合物から成る群から選択する、請求項１７から２２のいずれかに記載の方法。
【請求項２４】
用いる（ａ）が１種以上の有機ホスファイトである、請求項１７から２３のいずれかに記載の方法。
【請求項２５】
（ｂ）を（ｉ）安息香酸ナトリウム、（ｉｉ）１，３：２，４−ビス（３，４−ジメチルベンジリデン）ソルビトール、（ｉｉｉ）１，３：２，４−ビス（ｐ−メチルベンジリデン）ソルビトール、（ｉｖ）１，３：２，４−ジ−Ｏ−ベンジリデンソルビトール、（ｖ）少なくとも１種の金属酸化物である酸中和剤、（ｖｉ）少なくとも１種の金属炭酸塩である酸中和剤、（ｖｉｉ）少なくとも１種の天然もしくは合成ヒドロタルサイトおよび（ｖｉｉｉ）（ｉ）から（ｖ）の全部の中のいずれか２種以上の混合物から成る群から選択する、請求項１７から２４のいずれかに記載の方法。
【請求項２６】
用いる（ａ）が少なくとも１種の有機ホスファイトまたは少なくとも１種の有機ホスホナイトまたはこれらの両方である、請求項１７から２５にいずれかに記載の方法。
【請求項２７】
用いる（ａ）がトリ（２，４−ジ−ｔ−ブチルフェニル）ホスファイトである、請求項１７から２６にいずれかに記載の方法。
【請求項２８】
更に前記顆粒形態の乾燥した圧縮固化粒状重合体添加剤組成物から微細粒子を分離することも含んで成る、請求項１７から２６にいずれかに記載の方法。